【手続補正書】
【提出日】平成16年12月14日(2004.12.14)
【手続補正１】
【補正対象書類名】明細書
【補正対象項目名】発明の名称
【補正方法】変更
【補正の内容】
【発明の名称】監視装置及び監視システム
【手続補正２】
【補正対象書類名】明細書
【補正対象項目名】特許請求の範囲
【補正方法】変更
【補正の内容】
【特許請求の範囲】
【請求項１】
監視装置に設けられた監視カメラから伝送回線を介して送られてくる監視映像を監視センタのモニタに表示して監視する監視システムにおいて、
前記監視装置は、携帯端末から無線送信される緊急通報を受信し、該緊急通報を監視センタに前記伝送回線を介して伝送する極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする監視システム。
【請求項２】
監視領域を撮影する監視カメラを備えた監視装置と、前記監視装置から伝送回線を介して送られてくる監視画像をモニタに表示して監視し、監視結果に応じて公共機関に緊急通報を行なう監視センタとからなる監視システムにおいて、
前記監視装置は、携帯端末から無線送信される緊急通報を受信し、該緊急通報を監視センタに前記伝送回線を介して伝送する手段及び前記携帯端末からの緊急通報を前記公共機関の通信装置に適した無線方式に変換して該公共機関に向けて送信する無線方式変換手段を備えた極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする監視システム。
【請求項３】
前記極小無線エリア小形基地局装置は、携帯端末からの緊急通報を受信した場合に前記携帯端末と監視センタとの間を中継し、該携帯端末と監視センタとの間で直接通話できるようにしたことを特徴とする請求項１又は２に記載の監視システム。
【請求項４】
前記監視センタは、監視装置から送られてくる情報に応じて公共機関に緊急通報を行なうことを特徴とする請求項１又は２に記載の監視システム。
【請求項５】
前記監視センタは、監視装置から送られてくる監視画像を公共機関に伝送することを特徴とする請求項１又は２に記載の監視システム。
【請求項６】
監視領域を撮影する監視カメラを備え、該監視カメラにより撮影した監視画像を伝送回線により監視センタに伝送する監視装置において、
携帯端末に対する無線通信機能を備え、前記携帯端末からの緊急通報を受信し、該緊急通報を監視センタに前記伝送回線を介して伝送する極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする監視装置。
【請求項７】
監視領域を撮影する監視カメラを備え、該監視カメラにより撮影した監視画像を伝送回線により監視センタに伝送する監視装置において、
携帯端末に対する無線通信機能を備え、前記携帯端末からの緊急通報を受信し、該緊急通報を公共機関の通信装置に適した無線方式に変換して該公共機関に向けて送信する無線方式変換手段を備えた極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする監視装置。
【手続補正３】
【補正対象書類名】明細書
【補正対象項目名】０００１
【補正方法】変更
【補正の内容】
【０００１】
【発明の属する技術分野】
本発明は、例えば犯罪、事故等を監視する監視装置及び監視システムに関する。
【手続補正４】
【補正対象書類名】明細書
【補正対象項目名】０００８
【補正方法】変更
【補正の内容】
【０００８】
【課題を解決するための手段】
第１の発明は、監視装置に設けられた監視カメラから伝送回線を介して送られてくる監視映像を監視センタのモニタに表示して監視する監視システムにおいて、前記監視装置は、携帯端末から無線送信される緊急通報を受信し、該緊急通報を監視センタに前記伝送回線を介して伝送する極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする。
第２の発明は、監視領域を撮影する監視カメラを備えた監視装置と、前記監視装置から伝送回線を介して送られてくる監視画像をモニタに表示して監視し、監視結果に応じて公共機関に緊急通報を行なう監視センタとからなる監視システムにおいて、前記監視装置は、携帯端末から無線送信される緊急通報を受信し、該緊急通報を監視センタに前記伝送回線を介して伝送する手段及び前記携帯端末からの緊急通報を前記公共機関の通信装置に適した無線方式に変換して該公共機関に向けて送信する無線方式変換手段を備えた極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする。
第３の発明は、前記第１又は第２の発明に係る監視システムにおいて、前記極小無線エリア小形基地局装置は、携帯端末からの緊急通報を受信した場合に前記携帯端末と監視センタとの間を中継し、該携帯端末と監視センタとの間で直接通話できるようにしたことを特徴とする。
第４の発明は、前記第１又は第２の発明に係る監視システムにおいて、前記監視センタは、監視装置から送られてくる情報に応じて公共機関に緊急通報を行なうことを特徴とする。
第５の発明は、前記第１又は第２の発明に係る監視システムにおいて、前記監視センタは、監視装置から送られてくる監視画像を公共機関に伝送することを特徴とする。
第６の発明は、監視領域を撮影する監視カメラを備え、該監視カメラにより撮影した監視画像を伝送回線により監視センタに伝送する監視装置において、携帯端末に対する無線通信機能を備え、前記携帯端末からの緊急通報を受信し、該緊急通報を監視センタに前記伝送回線を介して伝送する極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする。
第７の発明は、監視領域を撮影する監視カメラを備え、該監視カメラにより撮影した監視画像を伝送回線により監視センタに伝送する監視装置において、携帯端末に対する無線通信機能を備え、前記携帯端末からの緊急通報を受信し、該緊急通報を公共機関の通信装置に適した無線方式に変換して該公共機関に向けて送信する無線方式変換手段を備えた極小無線エリア小形基地局装置と、前記極小無線エリア小形基地局装置が前記携帯端末からの緊急通報を受信した場合に前記監視カメラを動作させ、該監視カメラにより撮影された監視画像を前記伝送回線を介して前記監視センタに伝送させる制御手段とを具備したことを特徴とする。